(57)【要約】【課題】エスカレータやオートライン等の乗客コンベアは、シャッターの閉鎖に連動して乗客コンベアを停止させる、乗客コンベア／シャッター連動が義務づけられているが、メンテナンスに際して当該連動を解除したものの当該連動復帰操作を忘れて、火災発生時にシャッターが閉動作して乗客コンベアを停止させるべき場合に、当該乗客コンベアを停止できない問題があった。【解決手段】乗客コンベアとシャッターとの連動を解除した連動解除状態において、連動状態とする為の復帰操作を忘れた場合でも、所定条件が充足すると当該連動解除状態を自動解消して乗客コンベア／シャッター連動状態に復帰させる乗客コンベア／シャッター連動有効化手段を備える。【選択図】図２
2010052846.tif 000002
【特許請求の範囲】
【請求項１】
乗客コンベアの設置空間と建屋内空間とを遮断するシャッターの開閉動作に応じて乗客コンベアの駆動電源を通電・遮断する乗客コンベア／シャッター連動手段と、当該乗客コンベア／シャッター連動手段の解除及びその復帰が手動操作にて行われる乗客コンベア／シャッター連動解除・復帰手段とを有して構成される乗客コンベアにおいて、
前記乗客コンベア／シャッター連動解除・復帰手段により乗客コンベア／シャッター連動手段が連動解除状態にあるとき、所定条件の充足により当該連動解除状態を自動解消して連動状態に復帰させる乗客コンベア／シャッター連動有効化手段を備えたことを特徴とする乗客コンベア。
【請求項２】
前記所定条件が、前記シャッターの開動作である請求項１記載の乗客コンベア。
【請求項３】
前記所定条件が、乗客コンベアの停止状態が所定時間経過したことである請求項１記載の乗客コンベア。
【請求項４】
前記所定条件が、火災報知信号である請求項１記載の乗客コンベア。
【請求項５】
前記乗客コンベア／シャッター連動有効化手段が、乗客コンベア／シャッター連動手段の連動状態を解除するリレーの自己保持回路が前記所定条件により解除される請求項２乃至４記載の乗客コンベア。
【発明の詳細な説明】
【技術分野】
【０００１】
乗客コンベアに係わり、特に乗客コンベアと建屋内空間とを遮断するシャッターの開閉と、乗客コンベアの稼働との連動に係わる技術である。
【背景技術】
【０００２】
エスカレータやオートライン等の乗客コンベアは、その周辺の定められた距離以内に開閉式のシャッターが設けられる場合、乗客コンベアと当該シャッターとの連動が義務付けられており、当該連動は火災の延焼を防止するためにシャッターが閉鎖された場合、当該シャッターの閉鎖に連動して乗客コンベアを停止させるものである。
しかしながら、当該シャッターは、火災などの災害の発生と無関係に、乗客コンベアの平常運転終了後に閉鎖される場合が少なくない。
一方、乗客コンベアのメンテナンス作業に際しては、前記のように平常運転終了後にシャッターが閉鎖されていると、当該乗客コンベアに近接するシャッターを開放する必要があり、特に多数の乗客コンベアのメンテナンスのときはその作業負担が増大する問題があった。
当該問題を解決するために、従来、前記シャッターと乗客コンベアとを連動させる連動回路を無効にするシャッター連動解除・復帰手段、すなわち、シャッター連動解除装置の連動解除、連動復帰を手動操作にて行うシャッター連動解除装置が知られていた（特許文献１参照）。
【特許文献１】実願昭５９−７５７８９号（実開昭６０−１９０７８７号公報）のマイクロフィルム。
【発明の開示】
【発明が解決しようとする課題】
【０００３】
特許文献１に示す従来技術においては、シャッター連動解除装置にて当該連動を解除したときは、連動復帰操作を手動で行う必要があった。
しかしながら、当該シャッター連動解除装置にて連動を解除したものの当該連動復帰操作を行うことを失念して忘れる事態が生じると、シャッター連動解除状態のままになり、火災発生時にシャッターが閉動作して乗客コンベアを停止させなければならないにも係わらず、当該乗客コンベアを停止できなくなる問題があった。
【０００４】
本発明は上記問題を解決するために為されてもので、その目的は、乗客コンベア／シャッター連動解除状態において、連動復帰手動操作を忘れたときでも、自動的に当該乗客コンベア／シャッター連動解除状態が解消する乗客コンベアを提供することである。
【課題を解決するための手段】
【０００５】
乗客コンベアの設置空間と建屋内空間とを遮断するシャッターの開閉動作に応じて乗客コンベアの駆動電源を通電・遮断する乗客コンベア／シャッター連動手段と、当該乗客コンベア／シャッター連動手段の解除及びその復帰が手動操作にて行われる乗客コンベア／シャッター連動解除・復帰手段とを有して構成される乗客コンベアにおいて、
前記乗客コンベア／シャッター連動解除・復帰手段により乗客コンベア／シャッター連動手段が連動解除状態にあるとき、所定条件の充足により当該連動解除状態を自動解消して連動状態に復帰させる乗客コンベア／シャッター連動有効化手段を備えたことを特徴とする。
【０００６】
また、乗客コンベア／シャッター連動有効化手段を動作させる条件を、シャッターの開動作、乗客コンベア停止状態の所定時間経過、火災報知信号等とすることを特徴とする。
【０００７】
また、前記乗客コンベア／シャッター連動有効化手段は、乗客コンベア／シャッター連動手段の連動状態を解除するリレーの自己保持回路が所定条件により解除されることを特徴とする。
【発明の効果】
【０００８】
請求項１記載の発明は、
乗客コンベアとシャッターとの連動を解除した連動解除状態において、当該連動解除状態を解消して連動状態とする為の復帰操作を忘れた場合でも、自動的に乗客コンベア／シャッター連動状態に復帰するものであるから、メンテナンス作業を行ったときに乗客コンベアとシャッターとの連動を確実に確保できる効果を奏する。
【０００９】
請求項２乃至４記載の発明は、
乗客コンベア／シャッター連動状態に復帰させる条件を、乗客コンベア設置箇所、環境に応じて最適な条件を設定できる効果を有し、当該条件を全て具備させると如何なる箇所でも設置可能となるので、乗客コンベア設置箇所を考慮する負荷が無くなる効果を有する。
【００１０】
請求項５記載の発明は、
乗客コンベア／シャッター連動手段の連動状態の解除を自己保持回路を備えたリレーで行うので、ノイズの影響が少なく、しかも自己保持回路を前記条件を含ませた構成とすることにより、条件を追加重畳するときの構成が簡単になる効果を有する。
【発明を実施するための最良の形態】
【００１１】
以下、本発明の実施形態を図１乃至図２に基づいて説明する。
図１は、乗客コンベアとシャッターの設置状態図を示し、図２は本発明における乗客コンベアの電気回路図を示す。
図１において、符号１，符号２は各々１階、２階の階床を、符号３、符号４は各々１階と２階の間に交差して設置されている上昇用乗客コンベア、下降用乗客コンベアを、また、符号５，符号８は上昇用乗客コンベア３の乗降場の近傍に設けられた開閉式の１階用シャッター、２階用シャッターを、符号６、符号７は同様に下降用乗客コンベア４の乗降場の近傍に設けられた開閉式の１階用シャッター、２階用シャッターを各々示す。
【００１２】
図２において、符号Ｐ、Ｎは電源を、符号Ｓはシャッターが閉じ始めると動作し、シャッターが閉じている間閉状態にあるシャッター閉鎖検出接点、符号１０はシャッター閉鎖検出接点Ｓの閉成により動作するシャッター閉鎖検出リレーで、符号１０ａはシャッター閉鎖検出リレー１０の付勢により閉動作するシャッター閉鎖検出リレー１０の常開接点、符号１０ｂはシャッター閉鎖検出リレー１０の付勢により開動作するシャッター閉鎖検出リレー１０の常閉接点、符号Ｃは自動復帰形の乗客コンベア／シャッター連動解除・復帰スイッチで、連動解除接点Ｃｋと連動復帰接点Ｃｆを具備する。
【００１３】
符号１５は乗客コンベア／シャッター連動解除第１リレーで、前記乗客コンベア／シャッター連動解除・復帰スイッチＣを前記連動解除接点Ｃｋ側に操作したときに付勢される。
符号１５ａは乗客コンベア／シャッター連動解除第１リレー１５の付勢により閉動作する乗客コンベア／シャッター連動解除第１リレー１５の常開接点、符号１６は乗客コンベア／シャッター連動復帰リレーで、前記乗客コンベア／シャッター連動解除・復帰スイッチＣを前記連動復帰接点Ｃｆ側に操作したときに付勢される。
【００１４】
符号１６ｂは乗客コンベア／シャッター連動復帰リレー１６の付勢により開動作する乗客コンベア／シャッター連動復帰リレー１６の常閉接点、符号９は乗客コンベア／シャッター連動解除第２リレー、符号９ａｘ、符号９ａｙは前記乗客コンベア／シャッター連動解除第２リレー９の付勢により閉動作する乗客コンベア／シャッター連動解除第２リレー９の常開接点、符号１７Ｔは乗客コンベアが停止したままの状態で所定時間経過するとその接点を開放する乗客コンベア停止状態検出タイマー接点、符号１８Ｆは火災が発生したときにその接点を開放する火災報知接点である。
【００１５】
符号１３は自動復帰形の乗客コンベア上昇運転スイッチ、符号１４は自動復帰形の乗客コンベア下降運転スイッチ、符号１１は乗客コンベアを上昇運転させる乗客コンベア上昇運転用リレー、符号１１ａは乗客コンベア上昇運転用リレー１１の付勢により閉動作して乗客コンベア上昇運転用リレー１１の自己保持回路を構成する乗客コンベア上昇運転用リレー１１の常開接点、符号１２は乗客コンベアを下降運転させる乗客コンベア下降運転用リレー、符号１２ａは乗客コンベア下降運転用リレー１２の付勢により閉動作して乗客コンベア下降運転用リレー１２の自己保持回路を構成する乗客コンベア下降運転用リレー１２の常開接点、符号１２ｂは乗客コンベア下降運転用リレー１２の付勢により開動作して乗客コンベア上昇運転用リレー１１への通電を遮断する乗客コンベア下降運転用リレー１２の常閉接点、符号１１ｂは乗客コンベア上昇運転用リレー１１の付勢により開動作して乗客コンベア下降運転用リレー１２への通電を遮断する乗客コンベア上昇運転用リレー１１の常閉接点である。
【００１６】
本発明の制御動作を説明する。
まず始めに、乗客コンベア／シャッター連動手段について、乗客コンベア３、及び当該乗客コンベア３の近傍に配設されたシャッター５，８が開放されて、平常運行中である場合について説明する。
シャッター５，８が開放しているのでシャッター閉鎖検出接点Ｓは開状態であり、シャッター閉鎖検出リレー１０は付勢されない。
したがって、シャッター閉鎖検出リレー１０の付勢により作動される常開接点１０ａ、常閉接点１０ｂにも変化は生じないこととなる。
【００１７】
また、乗客コンベア／シャッター連動解除・復帰スイッチＣも操作されていない中立状態なので、当該乗客コンベア／シャッター連動解除・復帰スイッチＣの連動解除接点Ｃｋ及び連動復帰接点Ｃｆに各々接続する、乗客コンベア／シャッター連動解除第１リレー１５、及び乗客コンベア／シャッター連動復帰リレー１６共に付勢されないものであるから、前記乗客コンベア／シャッター連動解除第１リレー１５、及び乗客コンベア／シャッター連動復帰リレー１６の付勢により作動する、常開接点１５ａ、及び常閉接点１６ｂにも変化は生じない。
すると、当該常開接点１５ａを介して電源Ｐに接続する乗客コンベア／シャッター連動解除第２リレー９も付勢されないこととなるので、当該乗客コンベア／シャッター連動解除第２リレー９の付勢により作動する常開接点９ａｘ，９ａｙにも変化は生じないこととなる。
【００１８】
ここで、乗客コンベア上昇運転スイッチ１３を投入すると、電源Ｐ−常閉接点１０ｂ−乗客コンベア上昇運転スイッチ１３−常閉接点１２ｂ−乗客コンベア上昇運転用リレー１１−電源Ｎの回路が形成される。
すると、乗客コンベア上昇運転用リレー１１の付勢によりリレー１１ａが閉成されて、乗客コンベア上昇運転用リレー１１の自己保持回路が形成されるので乗客コンベア３は上昇運転を行う。
また、乗客コンベア下降運転スイッチ１４を投入すると、前記の乗客コンベア上昇運転スイッチ１３の投入と同様に、常開接点１２ａによる乗客コンベア下降運転用リレー１２の自己保持回路が形成されて、乗客コンベア３は下降運転を行う。
【００１９】
次に、シャッター５或いはシャッター８が閉鎖したときの乗客コンベア／シャッター連動手段の動作について説明する。
シャッター５或いはシャッター８が閉鎖するとシャッター閉鎖検出接点Ｓが閉成され、シャッター閉鎖検出リレー１０が付勢されるので、常閉接点１０ｂが開放し、常開接点１０ａが閉成する。
前記常閉接点１０ｂの開放により、乗客コンベア上昇運転スイッチ１３、乗客コンベア上昇運転用リレー１１、乗客コンベア下降運転スイッチ１４、乗客コンベア下降運転用リレー１２等は電源Ｐより切り離されるので、乗客コンベア上昇運転用リレー１１、乗客コンベア下降運転用リレー１２は消勢され、乗客コンベア上昇運転スイッチ１３、乗客コンベア下降運転スイッチ１４の操作はその効力を奏しなくなる。
【００２０】
その後、シャッター５或いはシャッター８が開放されると、シャッター閉鎖検出接点Ｓが開放されるので、シャッター閉鎖検出リレー１０が消勢されて、開放されていた常閉スイッチ１０ｂが閉成されるので、当該常閉スイッチ１０ｂを介して電源ラインＰから、乗客コンベア上昇運転スイッチ１３、乗客コンベア下降運転スイッチ１４へ電源が供給されて、シャッター５或いはシャッター８と乗客コンベアとの連動が解消される。
【００２１】
次に、前記の様にシャッターが閉鎖され、乗客コンベアが停止状態にあるときに、メンテナンス作業などにより乗客コンベア３の運転、すなわち、シャッターと乗客コンベアとの連動を解除する、乗客コンベア／シャッター連動解除・復帰手段について説明する。
シャッター５或いはシャッター８が閉鎖状態にあることからシャッター閉鎖検出接点Ｓが閉成されていることとなるので、シャッター閉鎖検出リレー１０の付勢により、常閉接点１０ｂが開放状態となり、常開接点１０ａが閉成状態となっている。
【００２２】
当該状態において、乗客コンベア／シャッター連動解除・復帰スイッチＣの接点が連動解除接点Ｃｋ側に操作されると、乗客コンベア／シャッター連動解除第１リレー１５が付勢されて、電源Ｐ−閉成された常開接点１５ａ−常閉接点１６ｂ−乗客コンベア／シャッター連動解除第２リレー９−電源Ｎの回路が形成されて、乗客コンベア／シャッター連動解除第２リレー９が付勢される。
当該、乗客コンベア／シャッター連動第２リレー９が付勢されると、常開接点９ａｘが閉成されるので、電源Ｐ−乗客コンベア／シャッター連動第２リレー９の付勢により閉成された常開接点９ａｘ−シャッター閉鎖検出リレー１０の付勢により閉成されている常開接点１０ａ−乗客コンベア停止状態検出タイマー接点１７Ｔ−火災報知接点１８Ｆ−常閉接点１６ｂ−乗客コンベア／シャッター連動第２リレー９−電源Ｎとなる乗客コンベア／シャッター連動解除第２リレー９の自己保持回路が形成される。
【００２３】
このとき、乗客コンベア／シャッター連動解除第２リレー９の付勢に伴って常開接点９ａｙが閉成されるため、乗客コンベア上昇運転スイッチ１３を投入すると、電源Ｐ、Ｎ間に、電源Ｐ−乗客コンベア／シャッター連動解除第２リレー９の付勢により閉成された常開接点９ａｙ−乗客コンベア上昇運転スイッチ１３−常閉接点１２ｂ−乗客コンベア上昇運転用リレー１１−電源Ｎの回路が形成されて、乗客コンベア上昇運転用リレー１１が付勢される。
当該乗客コンベア上昇運転用リレー１１の付勢により常開接点１１ａが閉成されるので、乗客コンベア上昇運転用リレー１１の自己保持回路、すなわち、電源Ｐ−乗客コンベア／シャッター連動解除第２リレー９の付勢により閉成された常開接点９ａｙ−乗客コンベア上昇運転用リレー１１の付勢により閉成された常開接点１１ａ−常閉接点１２ｂ−乗客コンベア上昇運転用リレー１１−電源Ｎに至る自己保持回路が形成される。
【００２４】
これにより、シャッター閉鎖検出リレー１０の常閉接点１０ｂが開放されて乗客コンベア上昇運転スイッチ１３への電源供給が断たれた状態においても、前記閉成された常開接点９ａｙを介して電源供給が為されるので乗客コンベア３の上昇運転を行うことができる。
また、乗客コンベア下降運転スイッチ１４を投入した場合も、上記と同様の動作により乗客コンベア３の下降運転を行うことができる。
【００２５】
ここで、シャッター閉鎖状態において、乗客コンベア／シャッター連動解除・復帰手段が連動を解除した連動解除状態から連動状態に手動操作復帰させる場合について説明する。
手動操作によって乗客コンベア／シャッター連動状態に復帰させるときは、乗客コンベア／シャッター連動解除・復帰スイッチＣを連動復帰接点Ｃｆ側に操作すると、乗客コンベア／シャッター連動復帰リレー１６が付勢されて常閉接点１６ｂが開放されるので、乗客コンベア／シャッター連動解除第２リレー９が消勢される。
当該乗客コンベア／シャッター連動解除第２リレー９が消勢されると閉成されていた常開接点９ａｘが開放されて乗客コンベア／シャッター連動解除第２リレー９の自己保持回路が解消するので、乗客コンベア／シャッター連動解除・復帰スイッチＣの接点が中立位置に自動復帰して乗客コンベア／シャッター連動復帰リレー１６の付勢が消滅しても当該乗客コンベア／シャッター連動解除第２リレー９が付勢されることはない。
【００２６】
また、当該乗客コンベア／シャッター連動解除第２リレー９が消勢されると、閉成されていた常開接点９ａｙも開放するので、乗客コンベア３は駆動不能となってシャッターとの連動が復帰する。
【００２７】
次いで、シャッターが閉鎖され、乗客コンベア３が停止状態にあるときに、メンテナンス作業などのために、シャッターと乗客コンベアとの連動を解除し、乗客コンベア３を稼働してメンテナンス作業終了後に、シャッターと乗客コンベアとの連動を復帰させる操作が行われない場合に、自動復帰させる乗客コンベア／シャッター連動有効化手段について説明する。
【００２８】
シャッターと乗客コンベアとの連動を解除し、乗客コンベア３を稼働して保守点検した後、乗客コンベア／シャッター解除・復帰スイッチＣを連動復帰接点Ｃｆ側に操作することなく、所定時間が経過すると、乗客コンベア停止状態検出タイマー接点１７Ｔが開放するので、乗客コンベア／シャッター連動解除第２リレー９の自己保持回路は開放されて乗客コンベア／シャッター連動解除第２リレー９が消勢される。
当該乗客コンベア／シャッター連動解除第２リレー９が消勢されると閉成されている常開接点９ａｙが開放され、連動解除状態時に当該常開接点９ａｙを介して供給されていた、乗客コンベア上昇運転スイッチ１３、乗客コンベア下降運転スイッチ１４への電源供給ルートは遮断されることとなる。
したがって、乗客コンベア／シャッター連動解除・復帰スイッチＣを連動復帰接点Ｃｆ側に操作することを失念した場合でも、シャッターと乗客コンベア３とは所定時間経過後に連動解除状態から連動状態に移行する。
【００２９】
また、前記所定時間経過前に火災の発生による火災報知信号に基づいて火災報知接点１８Ｆが開放されると、乗客コンベア／シャッター連動解除第２リレー９の自己保持回路は開放されて乗客コンベア／シャッター連動解除第２リレー９が消勢されるので、閉成されている常開接点９ａｙが開放され、連動解除状態時に当該常開接点９ａｙを介して供給されていた、乗客コンベア上昇運転スイッチ１３、乗客コンベア下降運転スイッチ１４への電源供給ルートは遮断されることとなる。
したがって、乗客コンベア／シャッター連動解除・復帰スイッチＣを連動復帰接点Ｃｆ側に操作することを失念した場合でも、シャッターと乗客コンベア３は火災報知信号により連動解除状態から連動状態に移行する。
【００３０】
さらに、常閉スイッチ１０ｂも、開放されているので、乗客コンベア上昇運転スイッチ１３、乗客コンベア下降運転スイッチ１４への電源供給は遮断されることとなる。
また、シャッター５，８が開状態になると、シャッター閉鎖検出接点Ｓが開放されるので、シャッター閉鎖検出接点Ｓの閉成によって付勢されていたシャッター閉鎖検出リレー１０は消勢されるので、閉成していた常開接点１０ａも開放されるので、乗客コンベア／シャッター連動解除第２リレー９の自己保持回路は解消されて乗客コンベア／シャッター連動解除第２リレー９が消勢されるので、閉成されている常開接点９ａｙが開放され、連動解除状態時に当該常開接点９ａｙを介して供給されていた、乗客コンベア上昇運転スイッチ１３、乗客コンベア下降運転スイッチ１４への電源供給ルートは遮断されることとなる。
したがって、乗客コンベア／シャッター連動解除・復帰スイッチＣを連動復帰接点Ｃｆ側に操作することを失念した場合でも、シャッター５，８の開動作により連動解除状態から連動状態に移行する。
【００３１】
前期実施形態においては、スイッチ、及びリレーを用いたシーケンス制御によるものであるが、スイッチに係わらずメンテナンス装置による制御信号等同等の機能を実現できる手段、及び当該シーケンス制御と同等の機能をソフトウエアを用いた手段にて実現しても良い。
【図面の簡単な説明】
【００３２】
【図１】乗客コンベアとシャッターの設置状態図である。
【図２】本発明における乗客コンベアの電気回路図である。
【符号の説明】
【００３３】
Ｐ      電源
Ｎ      電源
Ｓ      シャッター閉鎖接点
Ｃ      乗客コンベア／シャッター連動解除・復帰スイッチ
Ｃｋ    連動解除接点
Ｃｆ    連動復帰接点
１      階床
２      階床
３      乗客コンベア
４      乗客コンベア
５      シャッター
６      シャッター
７      シャッター
８      シャッター
９      乗客コンベア／シャッター連動解除第２リレー
９ａｘ  乗客コンベア／シャッター連動解除第２リレー９の常開接点
９ａｙ  乗客コンベア／シャッター連動解除第２リレー９の常開接点
１０    シャッター閉鎖検出リレー
１０ａ  シャッター閉鎖検出リレー１０の常開接点
１０ｂ  シャッター閉鎖検出リレー１０の常閉接点
１１    乗客コンベア上昇運転用リレー
１１ａ  乗客コンベア上昇運転用リレー１１の常開接点
１１ｂ  乗客コンベア上昇運転用リレー１１の常閉接点
１２    乗客コンベア下降運転用リレー
１２ａ  乗客コンベア下降運転用リレー１２の常開接点
１２ｂ  乗客コンベア下降運転用リレー１２の常閉接点
１３    乗客コンベア上昇運転スイッチ
１４    乗客コンベア下降運転スイッチ
１５    乗客コンベア／シャッター連動解除第１リレー
１５ａ  乗客コンベア／シャッター連動解除第１リレー１５の常開接点
１６    乗客コンベア／シャッター連動復帰リレー
１６ｂ  乗客コンベア／シャッター連動復帰リレー１６の常閉接点
１７Ｔ  乗客コンベア停止状態検出タイマー接点
１８Ｆ  火災報知接点
【図１】
2010052846.tif 000003
【図２】
2010052846.tif 000004